(57)【要約】      （修正有）【課題】紙幣等の媒体に内封されたＩＣチップの状態に応じて媒体の取扱いを変えることができ、またＩＣチップ内の電気情報を最適感度で読み取ることを可能とする。【解決手段】利用者から入金された紙幣を搬送する搬送路３７と、搬送路に設けられ、紙幣の表面情報を読み取る表面情報読取部３９と、紙幣に内封されたＩＣチップの情報を読み取り、かつ情報の読取り信号の感度を変更して調整する電気情報読取部４０とを含む鑑別部３０と、出金用として再利用する紙幣を収納する還流庫３４，３５と、出金用として再利用しない紙幣を回収する非還流庫３３とを有する。電気情報読取部４０において読取感度を変更しながら紙幣のＩＣチップから得られたＩＣチップの状態に関する情報と、表面情報読取部３９から得られた紙幣の真偽鑑別に用いる情報に基づいて判断し、判断結果に応じて、紙幣を還流庫又は非還流庫に収納する。【選択図】図４
2006163898.tif 000002
【特許請求の範囲】
【請求項１】
固有の識別情報を記憶したＩＣチップを内封した媒体を取り扱う媒体取扱装置において、
取扱われる媒体の真偽を判断するための鑑別部を備え、かつ該鑑別部は、
媒体の表面情報を読み取る表面情報読取部と、媒体に内封されたＩＣチップの情報を読み取り、かつ該情報の読取り信号の感度を変更して調整する電気情報読取部とを有し、
該表面情報読取部で読み取られた情報に基づく媒体の判断結果、及び該電気情報読取部で調整された感度に従って読取られたＩＣチップの該情報に応じて、該媒体の取扱いを変えることを特徴とする媒体取扱装置。
【請求項２】
該電気情報読取部における読取り感度を調整して媒体のＩＣチップの状態を認識し、該ＩＣチップの読取り感度の情報を基に媒体を分類することを特徴とする請求項１に記載の媒体取扱装置。
【請求項３】
媒体取扱装置は、紙幣を媒体として取扱う紙幣取扱装置であって、
該電気情報読取部において該紙幣のＩＣチップから得られたＩＣチップの状態に関する情報と、該表面情報読取部から得られた紙幣の真偽鑑別に用いる情報に基づいて、流通させることができる紙幣かを判断する手段と、該判断手段による判断の結果に従い、流通させないと判断した紙幣を回収する非還流庫と、流通を許容すると判断した紙幣を回収する還流庫を有することを特徴とする請求項１又は２に記載の媒体取扱装置。
【請求項４】
前記電気情報読取部は、該ＩＣチップの情報を感知するアンテナ部によって受信された信号を増幅する増幅回路と、該増幅回路の増幅率を変化させて調整された読取感度を記憶するメモリを有する制御部と、該メモリに記憶された最適な感度に基づいて該ＩＣチップの情報を読み取ることを特徴とする請求項１乃至３のいずれか記載の媒体取扱装置。
【請求項５】
該表面情報読取部より得られる紙幣の表面情報に基づく真偽の判定と、該電気情報読取部より得られる紙幣のＩＣチップの状態を示す情報の関係を登録するテーブルを格納する記憶装置を有し、
該テーブルが保持する情報に従って、該紙幣の収納先を分類することを特徴とする請求項１乃至４のいずれか記載の媒体取扱装置。
【請求項６】
固有の識別情報を記憶したＩＣチップを内封した紙幣を取り扱う現金自動取引装置において、
利用者から入金された紙幣を搬送する搬送路と、
該搬送路に設けられた該紙幣の鑑別部であって、紙幣の表面情報を読み取る表面情報読取部と、紙幣に内封されたＩＣチップの情報を読み取り、かつ該情報の読取り信号の感度を変更して調整する電気情報読取部とを含む鑑別部と、
出金用として再利用する紙幣を収納する還流庫と、
出金用として再利用しない紙幣を回収する非還流庫と、を有し、
該電気情報読取部において該紙幣のＩＣチップから得られたＩＣチップの状態に関する情報と該表面情報読取部から得られた紙幣の真偽鑑別に用いる情報に基づいて判断し、該判断結果に応じて、該紙幣を該還流庫又は非還流庫に収納することを特徴とする現金自動取引装置。
【請求項７】
該非還流庫は複数の格納場所を備えており、
該鑑別部の判断によって、該ＩＣチップの状態に応じて該紙幣を複数の状態に分類し、該分類に従って該紙幣を該複数の格納場所のいずれかに収納することを特徴とする請求項６の現金自動取引装置。
【請求項８】
該表面情報読取部より得られる紙幣の表面情報に基づく真偽の判定と、該電気情報読取部より得られる紙幣のＩＣチップの状態を示す情報の関係を登録するテーブルを格納する記憶装置を有し、
該テーブルが保持する情報に従って、該紙幣の収納先となる還流庫又は非還流庫を指定することを特徴とする請求項６又は７記載の現金自動取引装置。
【請求項９】
更に記憶装置を有し、該記憶装置は、該紙幣を入金した利用者の口座番号、該鑑別部による紙幣の鑑別結果、入金取引きの時刻、該ＩＣチップから取得された紙幣の識別情報、及び該紙幣の取扱い状態を示す情報を関連付けて記憶することを特徴とする請求項６乃至８のいずれか記載の現金自動取引装置。
【請求項１０】
固有の識別情報を記憶したＩＣチップを内封した紙幣を取り扱う紙幣取扱方法において、
装置に入れられた紙幣の表面情報を第１の読取部で読み取り、鑑別部で紙幣を鑑別するステップと、
第２の読取部で、感度を変更しながら該紙幣のＩＣチップの情報を読取るステップと、
該鑑別ステップによる紙幣の判断結果、及び該ＩＣチップ読取りステップにより得られたＩＣチップの状態を示す情報に従って、複数の収納先のいずれかに紙幣を分類するステップと、
を有することを特徴とする紙幣取扱方法。
【請求項１１】
該紙幣の鑑別の結果、疑問券と判定された紙幣に対して、再度、該第２の読取部で、感度を変更しながら該紙幣のＩＣチップの情報の読取りを行うステップと、
該読取りの結果、該ＩＣチップの状態を示す情報に従って、複数の状態に分類するステップと、
を更に有することを特徴とする請求項１０の紙幣取扱方法。
【請求項１２】
前記複数の収納先への分類又は複数の状態の分類は、予め記憶装置内に用意された分類テーブルを参照することにより行うことを特徴とする請求項１０又は１１の紙幣取扱方法。
【発明の詳細な説明】
【技術分野】
【０００１】
本発明は、媒体取扱装置及び取扱方法に係り、特に紙幣や有価証券や無線タグ等の媒体に内封されたＩＣチップの情報を読み取り、その情報に従って媒体の分類、回収等を行う装置における媒体の取り扱いに関する。
【背景技術】
【０００２】
紙幣や商品券、株券等の有価証券に、ユニークな識別情報を記憶したＩＣチップを埋設しておき、このＩＣチップに記憶させた固有の情報を管理することにより、有価証券の偽造防止や、盗まれた有価証券がその後不正に使用されるのを防止したり、正規の管理元に戻った有価証券の再利用を有効に管理することが提唱されている。
【０００３】
例えば、特許文献１（特開２００１−２６０５８０号公報）には、有価証券に非接触無線ＩＣチップ（例えばＲＦＩＤ）を埋設し、ＩＣチップの情報を書き換え可能とする有価証券、およびその有価証券の不正利用防止方法、不正防止システムが開示されている。
【０００４】
また、特開２００４−１６４１５６号公報（特許文献２）には、紙幣に無線ＩＣを内蔵させると共に、紙幣の搬送路上に設けた鑑別部には無線ＩＣと通信するアンテナを設け、紙幣が重送されても個々のＩＣチップの情報を読み取ることできる技術が開示されている。
【０００５】
【特許文献１】特開２００１−２６０５８０号公報
【特許文献２】特開２００４−１６４１５６号公報
【発明の開示】
【発明が解決しようとする課題】
【０００６】
ところで、ＩＣチップを内封した媒体例えば紙幣に内封されているＩＣチップのアンテナが取り扱う過程で断線したり、紙幣から剥離すること、及び水濡れで電波が届きにくくなったり、ＩＣチップの状態が変化してしまう状況等は避けなければならない。もしＩＣチップの状態が変化すると、正常な状態のＩＣチップを読み取る機能を備えた装置では、それらのＩＣチップの電気情報を読み取ることができない。
【０００７】
またＩＣチップが内封されているにも拘わらず、電気情報を読み取る回路がその電気情報の取得を逃してしまう恐れがある。そのため媒体にＩＣチップを内封してもＩＣチップによる媒体の真偽の判定やトレーサビリティーなど、ＩＣチップによるサービスが十分期待できない場合がある。
【０００８】
本発明の目的は、媒体に内封されたＩＣチップの状態に応じて、媒体の取扱いを変えるように制御できる媒体取扱装置及び方法を提供することにある。
本発明は、ＩＣチップの電気情報の読取り感度を調整することにより好適な感度でＩＣチップの電気情報を読み取ることにある。
【課題を解決するための手段】
【０００９】
本発明は、固有の識別情報を記憶したＩＣチップを内封した媒体を取り扱う媒体取扱装置において、取扱われる媒体の真偽を判断するための鑑別部を備え、かつ鑑別部は、媒体の表面情報を読み取る表面情報読取部と、媒体に内封されたＩＣチップの情報を読み取り、かつ情報の読取り信号の感度を変更して調整する電気情報読取部とを有し、表面情報読取部で読み取られた情報に基づく媒体の判断結果、及び電気情報読取部で調整された感度に従って読取られたＩＣチップの情報に応じて、媒体の取扱いを変える媒体取扱装置である。
好ましい例では、電気情報読取部における読取り感度を調整して媒体のＩＣチップの状態を認識し、ＩＣチップの読取り感度の情報を基に媒体を分類する。
また、好ましくは、この媒体取扱装置は、紙幣を媒体として取扱う紙幣取扱装置、例えばＡＴＭであり、電気情報読取部において紙幣のＩＣチップから得られたＩＣチップの状態に関する情報と、表面情報読取部から得られた紙幣の真偽鑑別に用いる情報に基づいて、流通させることができる紙幣かを判断する手段と、判断手段による判断の結果に従い、流通させないと判断した紙幣を回収する非還流庫と、流通を許容すると判断した紙幣を回収する還流庫を有する。
【００１０】
また、一例では、前記電気情報読取部は、ＩＣチップの情報を感知するアンテナ部によって受信された信号を増幅する増幅回路と、増幅回路の増幅率を変化させて調整された読取感度を記憶するメモリを有する制御部と、メモリに記憶された最適な感度に基づいてＩＣチップの情報を読み取る。
また、好ましくは、上記表面情報読取部より得られる紙幣の表面情報に基づく真偽の判定と、電気情報読取部より得られる紙幣のＩＣチップの状態を示す情報の関係を登録するテーブルを格納する記憶装置を有し、テーブルが保持する情報に従って、紙幣の収納先を分類する。
【００１１】
好ましい例では、固有の識別情報を記憶したＩＣチップを内封した紙幣を取り扱う現金自動取引装置において、利用者から入金された紙幣を搬送する搬送路と、搬送路に設けられた紙幣の鑑別部であって、紙幣の表面情報を読み取る表面情報読取部と、紙幣に内封されたＩＣチップの情報を読み取り、かつ情報の読取り信号の感度を変更して調整する電気情報読取部とを含む鑑別部と、出金用として再利用する紙幣を収納する還流庫と、出金用として再利用しない紙幣を回収する非還流庫と、を有し、電気情報読取部において紙幣のＩＣチップから得られたＩＣチップの状態に関する情報と表面情報読取部から得られた紙幣の真偽鑑別に用いる情報に基づいて判断し、判断結果に応じて、紙幣を還流庫又は非還流庫に収納する。
例えば、非還流庫は複数の格納場所を備えており、鑑別部の判断によって、ＩＣチップの状態に応じて紙幣を複数の状態に分類し、分類に従って紙幣を複数の格納場所のいずれかに収納する。
また、好ましい例では、表面情報読取部より得られる紙幣の表面情報に基づく真偽の判定と、電気情報読取部より得られる紙幣のＩＣチップの状態を示す情報の関係を登録するテーブルを格納する記憶装置を有し、テーブルが保持する情報に従って、紙幣の収納先となる還流庫又は非還流庫を指定する。
また、好ましい例では、更に記憶装置を有し、記憶装置は、紙幣を入金した利用者の口座番号、鑑別部による紙幣の鑑別結果、入金取引きの時刻、ＩＣチップから取得された紙幣の識別情報、及び紙幣の取扱い状態を示す情報を関連付けて記憶する。
【００１２】
本発明に係る紙幣の取扱方法では、固有の識別情報を記憶したＩＣチップを内封した紙幣を取り扱う紙幣取扱方法において、装置に入れられた紙幣の表面情報を第１の読取部で読み取り、鑑別部で紙幣を鑑別するステップと、第２の読取部で、感度を変更しながら紙幣のＩＣチップの情報を読取るステップと、鑑別ステップによる紙幣の判断結果、及びＩＣチップ読取りステップにより得られたＩＣチップの状態を示す情報に従って、複数の収納先のいずれかに紙幣を分類するステップと、を有する紙幣取扱方法である。
好ましい例では、紙幣の鑑別の結果、疑問券と判定された紙幣に対して、再度、第２の読取部で、感度を変更しながら紙幣のＩＣチップの情報の読取りを行うステップと、読取りの結果、ＩＣチップの状態を示す情報に従って、複数の状態に分類するステップと、を更に有する。
また、好ましくは、上記複数の収納先への分類又は複数の状態の分類は、予め記憶装置内に用意された分類テーブルを参照することにより行う。
【発明の効果】
【００１３】
本発明によれば、媒体に内封されたＩＣチップの状態によって媒体の取扱いを変えることができる。例えば、媒体として紙幣を取扱う場合、流通させる紙幣と流通させない紙幣を分類することで、流通させない紙幣をＡＴＭ等の装置内に回収することができる。
また、本発明によりＩＣチップの電気情報の読み取り感度を調整することができ、好適な感度で電気情報を読み取ることができる。
【発明を実施するための最良の形態】
【００１４】
以下、図面を参照して本発明の実施形態について説明する。
なお、媒体としては、紙幣、手形、小切手、株券、債権、商品券、無線タグ等を含む。以下の例では、千円札と一万円札等の紙幣を用いた例について説明する。
【００１５】
図１は、現金自動取引装置（ＡＴＭ）の外観図である。
現金自動取引装置（ＡＴＭ）１の利用者側部には、利用者へのサービスや操作案内等を表示する表示部２と、表示部２の表示に従った操作入力を行うためのボタンやタッチパネル等で構成された操作部３と、紙幣を入出金する入出金口４とが備えられる。入出金口４の上部には、シャッタ５が設けられ、利用者はこのシャッタ５の内側に紙幣を入れることで入金を行う。この動作を、ＡＴＭ側では受入という。また、利用者によりシャッタ５の内側から紙幣を取り出される動作が出金であり、ＡＴＭでは排出という。
【００１６】
ＡＴＭ１は、受入れた紙幣の金種や真偽を鑑別するための紙幣鑑別部を備えており、また近年のＡＴＭ１は通常、紙幣還流機構（ＢＲＭという）を具備している。ここで、還流とは紙幣の利用効率化を図るために、ＡＴＭ１に入金され収納された紙幣を、その後の取引で出金にも使用することをいう。なお、本実施例において紙幣の還流機能それ自体は必ずしも必須ではない
図２は、ＡＴＭ１の制御を示す制御ブロック図である。
本体制御部４２には、表示部２や操作部３、更にカード・明細票処理機構６、ＢＲＭ１０が接続され、これらのユニットは本体制御部４２の制御に従い必要な動作を行う。また、本体制御部４２には、係員操作部７、ハードディスク装置（ＨＤＤ）のような外部記憶装置８、インタフェース部９、時計機構１３が接続されており、必要なデータのやり取りを行う。
【００１７】
時計機構１３は、年月日時分秒を刻むカレンダー機能としての時計であり、利用者により取引が行われた時刻を本体制御部４２に連絡する。電源１１は、本体制御部４２や上記各機構、及び構成部分に電力を給電している。また、インタフェース部９は金融機関の計算センタにあるホストコンピュータ１２と接続され、必要なデータのやり取りを行う。
ＢＲＭ１０には紙幣鑑別部が設けられており、ＩＣチップから得られる情報の処理も含めて、それらの制御や情報処理については後で詳しく述べる。
【００１８】
図３は、ＩＣチップを内封した紙幣の様子を示す。
ＩＣチップ２１にはアンテナ部２２が取り付けられ状態で、紙幣２０の中に内封されている。ＩＣチップ２１は例えば、０．４mm平方程度の大きさであり、アンテナ部２２は薄い導体パターンで構成されている。ＩＣチップ２１の内部には、暗号化された固体識別（ＩＤ）情報、例えば１２８桁の数字がＩＤ情報として記憶されている。ＩＣチップ２１のＩＤ情報を読取るために設けられた電気情報読取部４０（図４）から送信される周波数の電磁波に応答してＩＤ情報を電気情報読取部４０へ送信する。
【００１９】
図４は、紙幣還流機構（ＢＲＭ）１０の構成を示す側面図である。また、図５はＢＲＭ１０の制御機能ブロック図を示す。
ＢＲＭ１０は、ＡＴＭ１内で紙幣を取り扱う機構であり、図面の右が利用者側である。入出金口４の内部には中板３８が設けられ、その中板３８によって入金部と出金部とに区切られている。なお、入金部と出金部とは入出金口４として必ずしも一体であることを要しない。
【００２０】
ＢＲＭ１０は、主に、千円札や一万円札等の金種や真偽を鑑別して判定する紙幣鑑別部３０と、利用者が入金金額を承認するまでの間、紙幣鑑別部３０を通過した紙幣２０を一時的に保管する一時保管庫３１と、出金には使用しない五千円札や二千円札、千円札や一万円札でかつ汚れがあったり、ＩＣチップ２１が壊れたりして再流通には適さない紙幣を回収する非還流庫３３と、入出金に使用する千円札を回収する千円庫３４、入出金に使用する一万円札を回収する一万円庫３５と、紙幣の搬送方向を切り換えるゲート３６a〜３６ｆと、紙幣２０をベルトやローラ等で挟んで搬送する搬送路３７とを有する。なお、千円庫３４と一万円庫３５とを合わせて還流庫ともいう。
【００２１】
非還流庫３３の内部は、仕切り板４３により複数の収納場所３３a〜３３dに区分されている。各収納場所３３a〜３３dは、例えば、五千円札や二千円札等の還流に用いない紙幣２０を回収する場所３３a,３３b、ＩＣチップ２１やアンテナ部２２の破損等により還流庫に回収されなかった疑問券を回収する場所３３c、及びＩＣチップ２１を具備していない紙幣を回収する場所３３dのように収納場所が予め指定されている。
【００２２】
また、還流庫３４，３５に紙幣を装填したり、還流庫や非還流庫から紙幣２０を回収して係員が紙幣を運搬するためのカセット３２を搭載する。なおこの例では、千円札と一万円札を還流させる紙幣としたために、千円庫３４と一万円庫３５を備える旨示したが、五千円札や二千円札を還流させる場合には、それらの紙幣用の回収庫を増設することが必要になることは理解できるであろう。
【００２３】
紙幣鑑別部３０は、紙幣２０の表面にある模様や文字等の表面情報を光学的、磁気的に読み取ったり、紙幣の厚さを調べる表面情報読取部３９、及びＩＣチップ２１に記憶された電気情報を読み取る電気情報読取部４０を有する。
【００２４】
電気情報読取部４０は、電磁波の送信・受信に用いるアンテナ、電磁波を照射する照射部と、ＩＣチップ２１からの応答を解析するデータを認識する回路を含む。この電気情報読取部４０の構成は、図６を参照して後で詳述するので、ここでは概略説明する。
電気情報読取部４０は、ＩＣチップに対応した周波数の電磁波をＩＣチップ２１に向けて送信する。ＩＣチップ２１は、その電磁波を受信して、ＩＣチップ２１内で起電し、記憶しているＩＤ情報を含む電気情報を発信する。なお、そのＩＤ情報が暗号化されている場合にはその解除をＩＣチップ２１内部で実行してもよい。特徴的なことは、電気情報読取部４０は、紙幣に内封されたＩＣチップ２１内部の電気情報を読み取る感度を変える機能を有し、最適感度でＩＣチップ２１の情報を読み取る。これについては図６を参照して後述する。
【００２５】
なお、上記の例では述べていないが、ＩＣチップ２１は水濡れに弱い。そこで紙幣の水濡れの対策として、例えば紙幣鑑別部３０の手前の搬送路３７上にヒーター、例えば加熱ローラーを設け、このヒーターで紙幣を加熱して乾燥させることも可能である。
【００２６】
上述した構成以外について、図５に示す制御ブロックを参照すると、ＢＲＭ制御部４１は、本体制御部４２と接続され、本体制御部４２からの指令及びＢＲＭ１０の状態検出に応じてＢＲＭ１０の制御を行い、必要に応じてＢＲＭ１０の情報を本体制御部４２に送信する。
【００２７】
図６は、電気情報読取部４０の詳細な構成を示すブロック図である。
電気情報読取部４０は、アンテナ部２２を通して紙幣２０に内封されたＩＣチップ２１の電気情報を送受信アンテナ部９１で受信する。受信部８０で受信した電気情報は、同調回路８５で目的の周波数の電波を取り出し、同調回路８５で同調した電波を高周波増幅回路８４で高周波増幅し、検波回路８３にて整流、高周波成分の除去を行い、最後に低周波増幅回路８２にて電気情報を増幅する。そして、データ認識回路８１でＩＣチップの電気情報を取得する。取得した電気情報を電気情報読取部制御部８７で解析し、本体制御部４２に送信する。
【００２８】
ここで、低周波増幅回路８２は増幅率を変化させる機能を持っており、この増幅率を変化させることで電気情報読取部４０の読取感度を複数段階に変化させて調節する。増幅率検出回路８６が、低周波増幅回路８２の増幅率を検出し電気情報読取部制御部８７を介して本体制御部４２に増幅率を送信する。本体制御部４２は、この増幅率を受信して、読取感度として解析する。尚、図示していないが、電気情報読取部制御部８７はメモリを有し、最適感度情報を記憶する。
このようにして、本体制御部４２は紙幣に内封されたＩＣチップ２１の読取感度の情報を取得する。
【００２９】
なお、電気情報読取部の電源部９０は、電気情報読取部４０の回路を電力を供給したり、紙幣２０のＩＣチップ部２１を起電するために使われる。送信部８９は、電気情報読取部４０から、紙幣のＩＣチップ部に電気情報を送信するために使われる。
【００３０】
さて、次に電気情報読取部４０における最適感度の調整動作について説明する。紙幣に内封された破損しているＩＣチップ２１を見逃すことなく読み取るために、ＩＣチップ２１の電気信号の読取りの度に、その読取り感度は最適に変化される。即ち紙幣の判定の度に、１枚の紙幣を読取る時に、低周波増幅回路８２は増幅率を複数段階に渡って変化させて読取り動作を行う。
【００３１】
電気信号の読取り時における感度の段階的変化及び最適感度の設定の一例について述べる。
例えば、増幅率が３段階（Ａ：１倍、Ｂ：２倍、Ｃ：３倍（Ａは信号を増幅しなくても十分な強度の信号を得られる））であるとする。例えば、正常なＩＣチップ２１を内封した紙幣が電気信号読取部４０に来た時、Ａ→Ｂ→Ｃのように、感度を変化させて読み取るとするとB、Cでは信号が大きすぎる。そのため、Aが最適な読取感度となる。
一方、破損しているＩＣチップ２１を内封した紙幣が、電気信号読取部４０に来た時、Ａでは信号が弱いが、Ｂ、Ｃのように増幅すると十分な信号強度が得られる場合は、増幅する必要があるということで正常なＩＣチップ２１を内封していないと判断する。
【００３２】
ここで、信号強度が十分であるという判断は、電気情報読取部４０の制御部８７のメモリに通常期待される信号強度を記憶しておき、ＩＣチップ２１から得られる信号強度と、メモリに記憶しておいた信号強度とを比較してどの増幅率のとき一番近い値になるかを決め、これを最適感度とする。
【００３３】
本実施例においては、紙幣の取扱いを制御するためのテーブルが用意され、外部記憶装置８に登録される。例えば、図９に示す紙幣分類テーブル５０及び６０である。これらのテーブルは紙幣鑑別部３０における紙幣の鑑別結果、即ち表面情報読取部３９及び電気情報読取部４０による判定結果に応じて、当該紙幣の行き先即ち収納先を決める基準テーブルの機能を持つ。
【００３４】
紙幣分類テーブル５０は、全ての入金紙幣を対象にして行われる紙幣の取り扱い状態を示すものであり、５つの取扱い状態Ａ〜Ｅからなる。即ち、各状態情報５１に対応して、何れも表面情報読取部３９による表面判定情報５２、ＩＣチップの状態を示す電気情報５３、収納先を示す収納先情報５４、紙幣の分類情報５５からなる。紙幣の表面判定情報５２は真又は偽を示す。
【００３５】
表面判定情報が真であり、かつ電気情報５３がＩＣチップの状態が正常状態のときは（状態Ａ）、それらの紙幣は還流させるので、収納先情報５４は還流庫３４，３５である。また、表面情報が真であり、かつ電気情報５３がＩＣチップの状態に無関係のときは（状態Ｂ）、還流させない金種例えば２０００円札や５０００円札を示しており、この場合には収納先５４として非還流庫３３a、３３bを示す。また、表面情報が真であり、かつ電気情報５３がＩＣチップの状態が正常でない旨を示しているときは（状態Ｃ）疑問券として扱われ、当該紙幣の収納先５４は、非還流庫３３ｃである。また、表面情報が真であり、かつ電気情報５３がＩＣチップ無しを示しているときは（状態Ｄ）も疑問券として扱われ、当該紙幣の収納先５４は、非還流庫３３dである。また、表面情報が偽の場合には、電気情報５３のＩＣチップの状態に無関係に（状態Ｅ）、当該紙幣は偽券として返却される。
【００３６】
次に、図１０の紙幣分類テーブル６０について説明する。
紙幣分類テーブル６０は、疑問券として分類された紙幣を更に再分類する場合に使用されるテーブルである。更に言えば、紙幣のＩＣチップ２１状態に応じて更に詳しく分類するためのテーブルである。
紙幣の取扱い状態はＸ〜Ｚの３つの状態である。各状態情報６１に対応して、何れも表面情報読取部３９による表面判定情報６２、ＩＣチップの状態を示す電気情報６３、収納先を示す収納先情報６４、紙幣の分類情報６５からなる。疑問券はテーブル５０の状態Ｃ，Ｄに分類された紙幣なので、紙幣の表面判定情報６２は真である。
【００３７】
そして、電気情報６３が、ＩＣチップの状態が正常状態を示すときは（状態Ｘ）、それらの紙幣は仮の収納先６４として例えばカセット３２に収納させる。また、電気情報５３が、ＩＣチップが破損している旨を示すときは（状態Ｙ）、仮の収納先として、千円庫３４に収納させる。さらに、電気情報５３が、ＩＣチップを内封していない旨を示しているときは（状態Ｚ）、仮の収納先として、一万円庫３５に収納させる。
【００３８】
外部記憶装置８は、また紙幣鑑別部３０で鑑別された紙幣の情報を記憶するテーブルを有する。このテーブルに記憶される紙幣の情報に従い、紙幣のトレースを行うことができる。
このテーブルは、図示していないが、紙幣鑑別部３０を通過した全ての紙幣を対象として、紙幣を入金した利用者の口座番号、紙幣鑑別部による紙幣の鑑別結果（即ちテーブル５０の紙幣分類５５の情報）、入金取引きの時刻（例えば、年月日時分秒）、ＩＣチップから取得された紙幣のＩＤ情報、及び紙幣の取扱い状態を示す情報（上記テーブル５０，６０の内容の状態を示す情報）を格納する。なお、紙幣にＩＣチップが内封されていない場合にはそのＩＤ情報は記憶されない。ＩＣチップが内封されていない旨は取扱い状態の情報から分る。
【００３９】
次に、図７を参照して、入金取引き動作及び入金された紙幣の処理動作について説明する。
ＡＴＭ１は利用者の接近を検知すると、表示部２に取引選択画面を表示する。取引には、入金、出金、記帳、振込み等が含まれる。これらの取引項目から、利用者は操作部３から「入金」を選択入力する（S01）。この時、本体制御部４２は、利用者の取引の種類「入金」を取得する。表示部２のガイダンス表示に従い、利用者は、次にカード・明細票処理機構６の媒体口にキャッシュカードを挿入する（S02）。この時、カードの磁気ストライプに記憶された情報が読み取られて、利用者の口座番号が本体制御部４２に取得される。更に、利用者は操作部３から暗証番号を入力する（S03）。
【００４０】
その後、ＢＲＭ１０の入出金口４のシャッタ５が開き（S04）、利用者は入出金口４の入金部（手前側）に入金すべき紙幣をセットする（S05）。ＢＲＭ１０は、シャッタ５を閉じた後（S06）、入金部から紙幣を搬送路３７に繰り出し、ゲート３６aを経由して紙幣鑑別部３０に搬送する（S07）。
【００４１】
紙幣鑑別部３０では、紙幣の表面情報を読取り、その読取り情報に従った紙幣の鑑別を行う（S08）。ここで、表面情報による鑑別とは、例えば、紙幣の表面に印刷された模様、文字、磁気量、厚さ等の表面情報を表面情報読取部３９で読み取り、紙幣の金種及び真偽を判定することである（S08）。
表面情報による紙幣鑑別で真券ではないと判定された場合（S09でＮｏ）には、その紙幣を、ゲート３６ｂを介して入出金口４の出金部に搬送して、利用者に返却する（S10）。
【００４２】
一方、表面情報による鑑別で真券と判定された場合（S09でYes）には、電気情報読取部４０で、その紙幣のＩＣチップ２１に記憶された電気情報が読み取られる。
【００４３】
電気情報読取部４０において、ＩＣチップ２１の電気情報を読み取るに際しては、読取部の感度を段階的に変化させ、最適感度でＩＣチップ２１の情報を読み取ることが行われる（S11）。電気情報読取部制御部８７のメモリに記憶された最適感度の情報を基に、ＢＲＭ制御部４１は、正常なＩＣチップ２１を内封した紙幣、正常でないＩＣチップ２１を内封した紙幣、ＩＣチップ２１を搭載していない紙幣に分類する。本体制御部４２は、その分類情報を取得して、それを外部記憶装置８に記憶する（S12）。
【００４４】
紙幣鑑別部３０を通過した紙幣は、一時保管庫３１まで搬送して収納される（S13）。紙幣鑑別部３０で、入出金口４にセットされた全ての紙幣の鑑別が終わると、真券と判定され紙幣の合計金額を表示部２に表示して、利用者による操作部３への確認入力を待つ（S14）。利用者が金額承認しなかった場合は（S15でＮo）、一時保管庫３１に収納された紙幣は全て入出金口４の出金部に搬送され、利用者に返却される（S16）。
【００４５】
一方、合計金額に対する利用者の承認入力を受けると（S15でYes）、本体制御部４２は インタフェース部９を経由してホストコンピュータ１２に取引情報を中央交信する（S1７）。この時、時計機構１３から利用者の取引きの時刻を取得する。
【００４６】
利用者の承認入力を受けると一時保管庫３１に保管されていた紙幣は、一時保管庫３１からゲート３６bを介して繰り出され（S18）、外部記憶部８に記憶された紙幣分類テーブル５０に従ってその収納先へ分類され（S19）、それぞれ対応する収納庫に収納される。例えば、表面情報から真券と判断された紙幣であって、正常なＩＣチップ２１及び正常なアンテナ部２２を内封している紙幣は還流に用いられるので、この紙幣は、金種に応じて千円庫３４や一万円庫３５に回収される（S19で正常状態）（S20）。
【００４７】
一方、紙幣の表面情報から真券と判定された紙幣であってその紙幣に内封されたＩＣチップ２１及びアンテナ部２２が正常な状態でない紙幣（S19で正常状態でない）、又はＩＣチップ２１及び又はアンテナ部２２を搭載していない紙幣（S19でＩＣチップなし）、又は還流に用いない二千円札や五千円札等の紙幣は非還流庫３３ａ〜dに回収される。
非還流庫への紙幣の収納動作は、紙幣分類テーブル５０に従って、疑問券と還流に用いない金種の紙幣をゲート３６fを介して非還流庫３３a〜dの指定された場所に回収することで行う。紙幣を非還流庫３３に回収することで、これらの紙幣が還流されて再び市場に流通することが防止される（S21）。このように、紙幣をテーブル５０の分類に従い分別して管理することができる。
【００４８】
また、紙幣の表面情報で真券と判定されＩＣチップ２１を内封していない紙幣を還流させるために、千円庫３４及び一万円庫３５に分類して回収すること（S20）で、正常なＩＣチップ２１や正常なアンテナ部２２を内封していない紙幣や、破損したＩＣチップ２１又はアンテナ部２２を内封している紙幣のみを疑問券として非還流庫３３に回収することも可能である。
【００４９】
なお、紙幣鑑別部３０における紙幣の鑑別処理に従って、紙幣鑑別部３０から取得された紙幣の鑑別結果に関する情報、及び取引きの過程で利用者のキャッシュカードから得られた口座番号等を含む情報は、紙幣情報として外部記憶部８に記憶されたテーブルに順次記憶される。
以上の動作が行なわれた後、カード・明細票処理機構６の媒体口からキャッシュカード及び取引き明細票を放出する（Ｓ22）。利用者はカード及び明細票を受け取り、一連の入金取引を終了する。
【００５０】
次に、図８を参照して、収納された紙幣を再分類するための処理動作について説明する。
この処理動作は、ＢＲＭ１０内の非還流庫３３c,３３dに回収された疑問券、即ち表面情報読取部３９では真券と判定されたが、電気情報読取部４０では紙幣に内封されたＩＣチップ２１の状態が破損や水濡れ等で正常な状態でない、又はＩＣチップ２１を内封していない、と判定された紙幣を更に詳細に分類するための再度の鑑別を行う動作である。
【００５１】
まず、係員が係員操作部７を操作してＡＴＭ１を「取扱中止」にする（T01）。ＡＴＭ１を「取扱中止」にしたら、還流庫（千円庫３４、一万円庫３５）に回収した紙幣を繰り出し、紙幣鑑別部３０、ゲート３６eを介してカセット３２に紙幣を搬送し回収する（T02）。続いて、非還流庫３３から疑問券以外の紙幣を繰り出し、紙幣鑑別部３０、ゲート３６eを介して紙幣を搬送しカセット３２に回収する（T03）。続いて、係員はＡＴＭ１の扉を開いてカセット３２をＡＴＭ１から取り出し、カセット３２に回収してある紙幣を回収する（T04）。カセット３２を空にしたら、再びＡＴＭ１にカセット３２をセットしＡＴＭ１の扉を閉める（T05）。
【００５２】
次に、非還流庫３３に回収した疑問券を繰り出し、紙幣鑑別部３０に搬送する(T06)。紙幣鑑別部３０の電気情報読取部４０では、紙幣のＩＣチップ２１の情報の読取り動作を行う。この場合、電気情報読取部４０での読取感度を段階的に変化させ、ＩＣチップ２１の電気情報を読み取り、読取の最適感度を調べる(T07)。
電気情報読取部４０の最適感度の情報を基に、ＩＣチップ２１の読取り結果は、正常なＩＣチップ２１を内封した紙幣、正常でないＩＣチップ２１を内封した紙幣、ＩＣチップ２１を内封していない紙幣の３種に分類される。この分類情報は本体制御部４２へ送信され、外部記憶装置８に記憶される（T08）。
【００５３】
紙幣鑑別部３０を通過した紙幣は、一時保管庫３１まで搬送して回収される（T09）。紙幣の鑑別が終わったら、一時保管庫に回収した紙幣を繰出し、読取感度の情報を基に、ＩＣチップ２１及びアンテナ部２２の状態を判断する(T10)。判断の結果はＩＣチップ２１の状態を示している。
その判断結果及びテーブル６０の分類に従い、紙幣はその収納先が３つに分類される。即ちカセット３２に収納されるか(T11)、千円庫３４に収納されるか(T12)、或いは一万円庫３５に収納される(T13)。尚、これらの収納先は仮りの収納部である。
【００５４】
このようにそれぞれ分類して収納された紙幣は、その後、係員の操作により順次回収される(T14)。係員はＡＴＭ１の扉を開けてカセット３２を取り出し、カセット３２内に回収された紙幣を回収する(T15)。そしてカセット３２を再びセットして、ＡＴＭ1の扉を閉める(T16)。
続いて千円庫３４の紙幣を繰り出し、紙幣を紙幣鑑別部３０、ゲート３６eを介してカセット３２に搬送する(T17)。また、一万円庫３５に対しても同様の動作を行い、一万円庫３５の紙幣を回収するまで、紙幣回収の処理動作（T14からT18）を繰り返す。
【００５５】
紙幣の回収が全て終わったら、係員は係員操作部７からＡＴＭ１を「取扱状態」にして(T19)、紙幣に内封されたＩＣチップ２１の状態による紙幣の再分類処理を終了する。
なお、上記説明では、２段階で正常なＩＣチップ２１を内封していない紙幣を分類したが、非還流庫３３のしきり板４３を複数庫用意して紙幣回収部を必要数に細分化しておけば、通常取引の中で分別することも可能である。
【００５６】
以上のように、本実施例によれば、紙幣の偽造対策として、ＩＣチップを利用した紙幣の取り扱いに関して、ＩＣチップの状態に応じて紙幣の分類や回収などの取扱い行うことができる。即ち、鑑定部の電気情報読取部の感度調を変更させながら、ＩＣチップの電気情報からＩＣチップの状態を把握でき、この状態情報に従って流通させる紙幣と流通させない紙幣を分類することができる。流通させない紙幣はＡＴＭに回収する。また、回収した紙幣を再チェックするために電気情報読取部で再度読み取ることで、回収した紙幣をＡＴＭ内でさらに細かく分類することができる。
また、ＩＣチップの識別情報及びＩＣチップの状態を示す情報を、紙幣の真偽の判定、更にはトレーサビリティーに利用することができる。
【図面の簡単な説明】
【００５７】
【図１】ＡＴＭの外観斜視図。
【図２】ＡＴＭの制御ブロック図。
【図３】ＩＣチップを内封した紙幣を示す図。
【図４】紙幣還流機構１０の構成を示す側面図。
【図５】紙幣還流機構１０の制御についての構成を示すブロック図。
【図６】電気情報読取部４０の詳細な構成を示すブロック図。
【図７】ＡＴＭ１における入金取引き及び入金紙幣の処理動作を示すフローチャート。
【図８】ＡＴＭ１における収納された紙幣を再分類するための処理動作を示すフローチャート。
【図９】ＡＴＭ１への入金紙幣の鑑別結果とその紙幣の収納先の関係を表す紙幣分類テーブル５０を示す図。
【図１０】疑問紙幣を再分類するための、紙幣と収納先の関係を表す紙幣分類テーブル６０を示す図。
【符号の説明】
【００５８】
１：ＡＴＭ  ２：表示部  ３：操作部  ４：入出金口  ５：シャッタ  
６：カード・明細票処理機構  ７：係員操作部  ８：外部記憶装置  ９：インタフェース  １０：紙幣還流機構  １１：電源  １２：ホストコンピュータ  １３：時計機構  ２０：紙幣  ２１：ＩＣチップ  ２２：アンテナ部  ３０：紙幣鑑別部  ３１：一時保管庫  ３２：カセット  ３３：非還流庫  ３３a〜３３d：収納場所  ３４：千円庫  ３５：一万円庫  ３６：ゲート  ３７：搬送路  ３８：入出金口の中板  ３９：表面情報読取部  ４０：電気情報読取部  ４１：ＢＲＭ制御部  ４２：本体制御部  ４３：仕切り板  ５０：テーブル  ６０：テーブル  ８０：受信部  ８１：データ認識回路  ８２：低周波増幅回路  ８３：検波回路  ８４：高周波増幅回路  ８５：同調回路  ８６：増幅率検出回路  ８７：電気情報読取部制御部  ８９：送信部  ９０：電源部  ９１：送受信アンテナ
【図１】
2006163898.tif 000003
【図２】
2006163898.tif 000004
【図３】
2006163898.tif 000005
【図４】
2006163898.tif 000006
【図５】
2006163898.tif 000007
【図６】
2006163898.tif 000008
【図７】
2006163898.tif 000009
【図８】
2006163898.tif 000010
【図９】
2006163898.tif 000011
【図１０】
2006163898.tif 000012